(57)【要約】  給電システムは、蓄電池、操作部、検出部および照明装置を含む。操作部は、給電システムの運転を、少なくとも系統連系運転から自立運転に切り換えるのに使用される。検出部は、電力系統の停電を検出するように構成される。照明装置は、停電の間、前記蓄電池に電気的に接続されて前記操作部を照明するように構成される。
2013114764.tif 000002
【特許請求の範囲】
【請求項１】
給電システムであって、
蓄電池と、
前記給電システムの運転を、少なくとも系統連系運転から自立運転に切り換えるための操作部と、
電力系統の停電を検出するように構成される検出部と、
停電の間、前記蓄電池に電気的に接続されて前記操作部を照明するように構成される照明装置と
を備える給電システム。
【請求項２】
前記給電システムは、商用電力系統に連系した状態で給電を行うための系統連系運転と、前記商用電力系統から独立した状態で給電を行うための自立運転とを選択的に行うように構成され、
前記給電システムは、
前記蓄電池から電力を受けて電力変換を行うように構成される電力変換部と、
負荷と接続され、前記自立運転の間、前記負荷に前記電力変換部からの電力変換後の電力を供給するための自立端子と、
前記給電システムの運転を、前記系統連系運転または前記自立運転に切り替えるように構成される切替部と、
前記自立端子と前記負荷との間の給電路とは別に設けられた、前記電力変換部から前記操作部の設置場所を照明するように構成される照明装置へ給電するための照明用給電路に挿入された照明用開閉器と
を更に備え、
操作部は、前記系統連系運転から前記自立運転へ前記切替部に切り替えさせるための手動操作の入力を受け付けるように構成され、
検出部は、商用電力系統の停電を検出するように構成され、
前記照明用開閉器は、前記検出部が前記商用電力系統の停電を検出すると、前記照明用給電路を介して前記電力変換部が前記照明装置へ給電するように前記電力変換部と前記照明装置を電気的に接続するように構成される
ことを特徴とする請求項１記載の給電システム。
【請求項３】
前記検出部が前記商用電力系統の停電を検出すると、前記手動操作の入力方法を与えるように構成される報知部を更に備えることを特徴とする請求項２記載の給電システム。
【請求項４】
第１開閉器と、
第２開閉器と、
第１変換部および第２変換部を備え、前記蓄電池と前記第１および第２開閉器との間に接続される電力変換部と、
前記第１および第２変換部の間の接続点と前記照明装置との間に接続される第３開閉器と
を更に備えることを特徴とする請求項１記載の給電システム。
【請求項５】
前記第１変換部は、前記第２変換部の側に接続される第１入出力端子と、前記蓄電池の側に接続される第２入出力端子とを含み、
前記第１変換部は、
前記第１入出力端子に供給される電力を受けて電圧変換を行い、その電圧変換後の電力を前記第２入出力端子の側に供給し、また、
前記第２入出力端子に供給される電力を受けて電圧変換を行い、その電圧変換後の電力を前記第１入出力端子の側に供給する
ように構成され、
前記第２変換部は、前記第１開閉器の側と前記第２開閉器の側に接続される第１入出力端子と、前記第１変換部の側に接続される第２入出力端子とを含み、
前記第２変換部は、
前記第２変換部の第１入出力端子に供給されるＡＣ電力をＤＣ電力に変換し、そのＤＣ電力を前記第２変換部の第２入出力端子の側に供給し、また、
前記第２変換部の第２入出力端子に供給されるＤＣ電力をＡＣ電力に変換し、そのＡＣ電力を前記第２変換部の第１入出力端子の側に供給するように構成される
ことを特徴とする請求項４記載の給電システム。
【請求項６】
前記電力変換部を制御するように構成される制御部を更に備え、
前記制御部は、前記検出部で検出される停電の間、前記第３開閉器をオンして前記第１変換部２１を介して前記照明装置を前記蓄電池に電気的に接続するように構成される
ことを特徴とする請求項４記載の給電システム。
【請求項７】
前記第３開閉器は、前記検出部で検出される停電の間、自動的にオンして前記第１変換部２１を介して前記照明装置を前記蓄電池に電気的に接続するように構成されることを特徴とする請求項４記載の給電システム。
【発明の詳細な説明】
【技術分野】
【０００１】
本発明は、電力系統に連系した状態で給電を行うための系統連系運転と、電力系統から独立した状態で給電を行うための自立運転とを選択的に行うように構成される給電システムに関する。
【背景技術】
【０００２】
例えば、日本国特許出願公開番号２０１０−２５９１７０（以下「文献１」という）は、分散電源を商用電力系統に連系した状態で給電を行うための系統連系運転と、分散電源を商用電力系統から独立した状態で給電を行うための自立運転とを選択的に行うように構成される給電システムを開示する。このような給電システムは、商用電力系統が商用電力を供給している通常時に系統連系運転を行い、商用電力系統が商用電力の供給を停止している停電時に自立運転を行う。このため、商用電力系統の停電が発生した場合に、系統連系運転から自立運転へ切り替える必要があり、給電システムは、ユーザの手動操作の入力を操作部が受け付けた後、系統連系運転から自立運転へ切り替える。【０００３】
しかしながら、従来の給電システムでは、例えば夜間に商用電力系統の停電が発生した際に操作部の設置場所が暗いと系統連系運転から自立運転へ切り替えるための手動操作が難しいという問題があった。
【発明の概要】
【０００４】
本発明の目的は、商用電力系統の停電時に系統連系運転から自立運転へ切り替えるための手動操作の入力を明るい状態の中でユーザが行うことが可能な給電システムを提供することにある。
【０００５】
本発明は、給電システムであって、蓄電池（９２）と、前記給電システムの運転を、少なくとも系統連系運転から自立運転に切り換えるための操作部（５）と、電力系統の停電を検出するように構成される検出部（４）と、停電の間、前記蓄電池（９２）に電気的に接続されて前記操作部を照明するように構成される照明装置（９１）とを備える。
【０００６】
一実施形態において、前記給電システム（１）は、商用電力系統（９５）に連系した状態で給電を行うための系統連系運転と、前記商用電力系統（９５）から独立した状態で給電を行うための自立運転とを選択的に行うように構成される。前記給電システム（１）は、電力変換部（２）、自立端子（３３）、切替部（７）および照明用開閉器（６）を更に備える。電力変換部（２）は、前記蓄電池（９２）からの電力を受けて電力変換を行うように構成される。自立端子（３３）は、負荷（９４）と接続され、前記自立運転の間、前記負荷（９４）に前記電力変換部（２）からの電力変換後の電力を供給するのに使用される。切替部は、前記給電システム（１）の運転を、前記系統連系運転または前記自立運転に切り替えるように構成される。照明用開閉器（６）は、前記自立端子（３３）と前記負荷（９４）との間の給電路（９７）とは別に設けられた、前記電力変換部（２）から前記操作部（５）の設置場所を照明するように構成される照明装置（９１）へ給電するための照明用給電路（９８）に挿入されている。操作部（５）は、前記系統連系運転から前記自立運転へ前記切替部に切り替えさせるための手動操作の入力を受け付けるように構成される。検出部（４）は、前記商用電力系統（９５）の停電を検出するように構成される。前記照明用開閉器（６）は、前記検出部（４）が前記商用電力系統（９５）の停電を検出すると、前記照明用給電路（９８）を介して前記電力変換部（２）が前記照明装置（９１）へ給電するように前記電力変換部（２）と前記照明装置（９１）を電気的に接続するように構成される。
【０００７】
一実施形態において、前記検出部（４）が前記商用電力系統（９５）の停電を検出すると、前記手動操作の入力方法を与えるように構成される報知部（８）を更に備える。
【０００８】
一実施形態において、給電システム（１）は、第１開閉器（３２）と、第２開閉器（３４）と、電力変換部（２）と、第３開閉器（６）とを更に備える。電力変換部（２）は、第１変換部（２１）および第２変換部（２２）を備え、前記蓄電池（９２）と前記第１および第２開閉器（３２および３４）との間に接続される。第３開閉器（６）は、前記第１および第２変換部（２１および２２）の間の接続点と前記照明装置（９１）との間に接続される。
【０００９】
一実施形態において、前記第１変換部（２１）は、前記第２変換部（２２）の側に接続される第１入出力端子（２１１）と、前記蓄電池（９２）の側に接続される第２入出力端子（２１２）とを含む。また、前記第１変換部（２１）は、前記第１入出力端子（２１１）に供給される電力を受けて電圧変換を行い、その電圧変換後の電力を前記第２入出力端子（２１２）の側に供給し、また、前記第２入出力端子（２１２）に供給される電力を受けて電圧変換を行い、その電圧変換後の電力を前記第１入出力端子（２１１）の側に供給するように構成される。加えて、前記第２変換部（２２）は、前記第１開閉器（３２）の側と前記第２開閉器（３４）の側に接続される第１入出力端子（２２１）と、前記第１変換部（２１）の側に接続される第２入出力端子（２２２）とを含む。また、前記第２変換部（２２）は、前記第２変換部（２２）の第１入出力端子（２２１）に供給されるＡＣ電力をＤＣ電力に変換し、そのＤＣ電力を前記第２変換部（２２）の第２入出力端子（２２２）の側に供給し、また、前記第２変換部（２２）の第２入出力端子（２２２）に供給されるＤＣ電力をＡＣ電力に変換し、そのＡＣ電力を前記第２変換部（２２）の第１入出力端子（２２１）の側に供給するように構成される。
【００１０】
一実施形態において、給電システム（１）は、前記電力変換部（２）を制御するように構成される制御部（７）を更に備える。前記制御部（７）は、前記検出部（４）で検出される停電の間、前記第３開閉器（６）をオンして前記第１変換部２１を介して前記照明装置（９１）を前記蓄電池（９２）に電気的に接続するように構成される。
【００１１】
一実施形態において、前記第３開閉器（６）は、前記検出部（４）で検出される停電の間、自動的にオンして前記第１変換部２１を介して前記照明装置（９１）を前記蓄電池（９２）に電気的に接続するように構成される。
【００１２】
本発明によれば、商用電力系統の停電の間、操作部の設置場所を照明装置に照明させることができるので、系統連系運転から自立運転へ切り替えるための手動操作を明るい状態の中でユーザが行うことができる。
【図面の簡単な説明】
【００１３】
本発明の好ましい実施形態をさらに詳細に記述する。本発明の他の特徴および利点は、以下の詳細な記述および添付図面に関連して一層良く理解されるものである。
【図１】本発明の第１実施形態に係る給電システムのブロック図である。
【図２】同上に係る給電システムの動作を示すフローチャートである。
【図３】本発明の第２実施形態に係る給電システムのブロック図である。
【発明を実施するための形態】
【００１４】
以下の各実施形態に係る給電システムは、電力系統に連系した状態で給電を行うための系統連系運転と、電力系統から独立した状態で給電を行うための自立運転とを選択的に行うように構成される。一例として、各給電システムは、蓄電池を商用電力系統に連系した状態で給電を行うための系統連系運転と、蓄電池を商用電力系統から独立した状態で給電を行うための自立運転とを選択的に行うように構成される。
【００１５】
（第１実施形態）
第１実施形態に係る給電システム１は、図１に示すように、蓄電池９２、電力変換部２、第１端子３１、第１開閉器３２、第２端子３３、第２開閉器３４、検出部４、操作部５、第３開閉器６および制御部７を含む。電力変換部２は、蓄電池９２から電力を受けて電力変換を行うように構成される。第１端子（連系用端子）３１は、（少なくとも１つの）第１負荷９３と接続され、系統連系運転の間、第１負荷９３に電力変換部２からの電力変換後の電力を供給するのに使用される。第１開閉器（連系用開閉器）３２は、電力変換部２と第１端子３１との間を電気的に開閉するように構成される。第２端子（自立端子）３３は、（少なくとも１つの）第２負荷９４と接続され、自立運転の間、第２負荷９４に電力変換部２からの電力変換後の電力を供給するのに使用される。第２開閉器（自立運転用開閉器）３４は、電力変換部２と第２端子３３との間を電気的に開閉するように構成される。検出部４は、電力系統の停電を検出するように構成される。第１実施形態では、検出部４は、商用電力系統９５の停電および復電を検出するように構成される。操作部５は、ユーザの手動操作の入力を受け付けるように構成される。第３開閉器（照明用開閉器）６は、電力変換部２と照明装置９１との間を電気的に開閉するように構成される。制御部７は、給電システム１全体を制御するように構成される。図１において、実線は給電路を示し、破線は、操作部５が手動操作の入力を受け付け、その手動操作の入力に応じて制御部７が出力する制御信号に関する信号線を示し、点線は、商用電力系統９５が停電または復電したときに検出部４が出力する制御（検出信号）に関する信号線を示す。
【００１６】
本実施形態において、電力変換部２は、第１端子３１、第１開閉器３２、第２端子３３、第２開閉器３４、検出部４、操作部５、第３開閉器６および制御部７の全部または一部と共に、充放電パワーコンディショナを構成する。
【００１７】
本実施形態の給電システム１は、商用電力系統９５の停電が発生した際に、自立運転を開始する前に、系統連系運転から自立運転へ切り替えるための手動操作の入力を受け付けるための操作部５の設置場所を照明装置９１で照明するように構成される。
【００１８】
照明装置９１は、商用電力系統９５の停電時に用いられる停電用照明装置であり、操作部５の近傍に設置されている。この照明装置９１は、例えばＬＥＤ（Light Emitting Diode）や有機ＥＬ（ElectroLuminescence）などを含み、第３開閉器６を介して電力変換部２から電力（直流電力）が供給されると操作部５の設置場所を照明するように構成される。
【００１９】
蓄電池９２は、例えば、ニッケル水素電池、リチウムイオン電池または鉛蓄電池などであり、系統連系運転の間、電力変換部２を介して商用電力系統９５の商用電力から得られる直流電力によって充電される。
【００２０】
電力変換部２は、第１変換部２１と、第２変換部２２とを備えている。この電力変換部２は、蓄電池９２の充電の間、制御部７の指示に従って、商用電力系統９５側からの交流電力を直流電力に変換するように構成される。また、電力変換部２は、蓄電池９２の放電の間、制御部７の指示に従って、蓄電池９２からの直流電力を交流電力に変換するように構成される。
【００２１】
第１変換部２１は、（複数の）スイッチング素子（図示せず）を含む双方向ＤＣ／ＤＣコンバータであり、蓄電池９２の充電または放電の間、スイッチング素子のオンオフ制御によって電圧変換を行うように構成される。例えば、第１変換部２１は、第２変換部２２の側に接続される第１入出力端子２１１と、蓄電池９２の側に接続される第２入出力端子２１２とを含む。第１変換部２１は、制御部７からの充電制御に従ってスイッチング素子を駆動することにより、第１入出力端子２１１に供給される電力を受けて電圧変換を行い、その電圧変換後の電力を第２入出力端子２１２の側に供給し、また、制御部７からの放電制御に従ってスイッチング素子を駆動することにより、第２入出力端子２１２に供給される電力を受けて電圧変換を行い、その電圧変換後の電力を第１入出力端子２１１の側に供給するように構成される。
【００２２】
第２変換部２２は、複数のスイッチング素子（図示せず）を含む双方向インバータであり、スイッチング素子のオンオフ制御によってＡＣ−ＤＣ変換とＤＣ−ＡＣ変換を行うように構成される。第２変換部２２は、蓄電池９２の充電の間、商用電力系統９５の交流電力を直流電力に変換し、蓄電池９２の放電の間、第１変換部２１の直流電力を交流電力に変換するように構成される。例えば、第２変換部２２は、第１開閉器３２の側と第２開閉器３４の側に接続される第１入出力端子２２１と、第１変換部２１の側に接続される第２入出力端子２２２とを含む。第２変換部２２は、制御部７からの充電制御に従ってスイッチング素子を駆動することにより、第１入出力端子２２１に供給されるＡＣ電力をＤＣ電力に変換し、そのＤＣ電力を第２入出力端子２２２の側に供給し、また、制御部７からの放電制御に従ってスイッチング素子を駆動することにより、第２入出力端子２２２に供給されるＤＣ電力をＡＣ電力に変換し、そのＡＣ電力を第１入出力端子２２１の側に供給するように構成される。第１変換部２１および第２変換部２２のスイッチング素子としては、例えば絶縁ゲート型バイポーラトランジスタ（Insulated GateBipolar Transistor：ＩＧＢＴ）などが用いられている。
【００２３】
第１開閉器３２は、第１端子３１に電気的に接続される第１端と、電力変換部２（第１入出力端子２２１）に電気的に接続される第２端とを含み、第１端子３１と電力変換部２との間に設けられている。この第１開閉器３２は、制御部７の指示に従って、通常時にオンになって第１端子３１と電力変換部２との間を電気的に接続し、停電時にオフになって第１端子３１と電力変換部２との間を電気的に遮断するように構成される。通常時とは、商用電力系統９５が商用電力を供給している時をいう。停電時とは、商用電力系統９５が商用電力の供給を停止している時をいう。
【００２４】
第２開閉器３４は、電力変換部２（第１入出力端子２２１）に電気的に接続される第１端と、第２端子３３に電気的に接続される第２端とを含み、電力変換部２と第２端子３３との間に設けられている。この第２開閉器３４は、制御部７の指示に従って、通常時にオフになって電力変換部２と第２端子３３との間を電気的に遮断し、停電時に電力変換部２と第２端子３３との間を電気的に接続するように構成される。
【００２５】
検出部４は、商用電力系統９５に接続されている第１給電路９６に印加されている系統電圧によって、商用電力系統９５が商用電力を供給している通常時と、商用電力系統９５が商用電力の供給を停止している停電時とを判別するように構成される。商用電力系統９５が商用電力を供給している通常時では、第１給電路９６の系統電圧は所定電圧（例えば１００Ｖまたは２００Ｖ）である一方、商用電力系統９５が商用電力の供給を停止している停電時では、第１給電路９６の系統電圧は０Ｖである。したがって、検出部４は、系統電圧が所定電圧範囲内であるか、所定電圧範囲の下限値未満であるかによって、それぞれ通常時と停電時とを判別するように構成される。これにより、検出部４は、商用電力系統９５の停電および復電を検出することができる。
【００２６】
検出部４は、商用電力系統９５の停電または復電を検出すれば、検出結果を検出信号として制御部７に供給するように構成される。例えば商用電力系統９５の停電を検出した場合、検出部４は、商用電力系統９５の停電を検出したことを示す停電情報を検出信号として制御部７に供給する。一方、商用電力系統９５の復電を検出した場合、検出部４は、商用電力系統９５の復電を検出したことを示す復電情報を検出信号として制御部７に供給する。
【００２７】
操作部５は、例えば複数の操作ボタンまたはタッチパネルなどを含み、ユーザが給電システム１への指示を入力するのに用いられる。すなわち、操作部５は、ユーザの手動操作によって各種指示の入力を受け付ける。例えば、操作部５は、給電システム１の運転を、系統連系運転から自立運転へ制御部７に切り替えさせるための手動操作の入力や、給電システム１の運転を、自立運転から系統連系運転へ制御部７に切り替えさせるための手動操作の入力を受け付ける。
【００２８】
第３開閉器６は、電力変換部２（第１変換部２１と第２変換部２２との接続点）に電気的に接続される第１端と、照明装置９１に電気的に接続される第２端とを含み、電力変換部２（第１変換部２１と第２変換部２２の接続点）から照明装置９１へ給電するための第２給電路（照明用給電路）９８に挿入されている。第２給電路９８は、第２端子３３と負荷９４との間の第２給電路９７とは別に設けられた給電路である。第３開閉器６は、制御部７の指示に従って、停電の間、オンになって電力変換部２と照明装置９１との間を電気的に接続する。
【００２９】
ところで、照明装置９１として直流電力によって点灯する光源を採用しているので、電力変換部２から照明装置９１へ直流電力が供給されるように、第２給電路９８は、第１変換部２１と第２変換部２２との間すなわちＤＣリンク部に接続されている。これにより、検出部４により商用電力系統９５の停電が検出された際に、照明装置９１は、第１変換部２１から直流電力を受けて点灯し、操作部５の設置場所を照明する。
【００３０】
制御部７は、検出部４からの検出信号に応じて、給電システム１の運転を、系統連系運転または自立運転に切り替えるための運転切替部として機能する。制御部７は、検出部４により商用電力系統９５の停電が検出されて検出部４から停電情報を受け取ると、第２変換部２２のスイッチング素子（図示せず）に対してゲートブロックを行い、第１開閉器３２をオンからオフにすることによって、系統連系運転を停止する。その後、操作部５がユーザの手動操作の入力を受け付けると、制御部７は、その入力に応じて、第２変換部２２のスイッチング素子へのゲートブロックを解除し、第２開閉器３４をオフからオンにすることによって、自立運転を可能にする。その後、検出部４により商用電力系統９５の復電が検出されて制御部７が検出部４から復電情報を受け取り、かつ、自立運転から系統連系運転へ制御部７に切り替えさせるための手動操作の入力を操作部５が受け付けると、制御部７は、その入力に応じて、第２開閉器３４をオンからオフにし、第１開閉器３２をオフからオンにすることによって、自立運転から系統連系運転に切り替える。
【００３１】
また、本実施形態の制御部７は、上記運転切替部として機能するだけではなく、第３開閉器６のオンオフを切り替えるための照明切替部としても機能する。制御部７は、検出部４により商用電力系統９５の停電が検出されて検出部４から停電情報を受け取ると、電力変換部２と照明装置９１との間を電気的に接続させるように第３開閉器６をオフからオンにする。
【００３２】
本実施形態の第３開閉器６は、制御部７の指示に従ってオフからオンになり、電力変換部２と照明装置９１との間を電気的に接続する。すなわち、第３開閉器６は、検出部４により商用電力系統９５の停電が検出された際に、電力変換部２と照明装置９１との間を電気的に接続する。これにより、照明装置９１は、第２給電路９７を介さずに第３給電路９８を介して電力変換部２から電力を受けて点灯し、操作部５の設置場所を照明する。
【００３３】
さらに、制御部７は、電力変換部２による蓄電池９２の充放電を制御する充放電制御部として機能する。制御部７は、蓄電池９２の充電の間、商用電力系統９５側からの交流電力を直流電力に変換するように電力変換部２を制御する。例えば、制御部７は、第２変換部２２が、第１入出力端子２２１に供給されるＡＣ電力をＤＣ電力に変換し、そのＤＣ電力を第２入出力端子２２２の側に供給するように、第２変換部２２を制御し、また、第１変換部２１が、第１入出力端子２１１に供給される電力（ＤＣ電力）を受けて電圧変換を行い、その電圧変換後の電力を第２入出力端子２１２の側に供給するように、第１変換部２１を制御する。
【００３４】
また、制御部７は、蓄電池９２の放電の間、蓄電池９２からのＤＣ電力をＡＣ電力に変換するように電力変換部２を制御する。例えば、制御部７は、第１変換部２１が、第２入出力端子２１２に供給される電力（ＤＣ電力）を受けて電圧変換を行い、その電圧変換後の電力を第１入出力端子２１１の側に供給するように、第１変換部２１を制御し、また、第２変換部２２が、第２入出力端子２２２に供給されるＤＣ電力をＡＣ電力に変換し、そのＡＣ電力を第１入出力端子２２１の側に供給するように、第２変換部２２を制御する。
【００３５】
ところで、本実施形態の給電システム１は、操作部５への手動操作の操作方法を報知する報知部８をさらに備えている。
【００３６】
報知部８は、検出部４により商用電力系統９５の停電が検出されると、制御部７の指示に従って、系統連系運転から自立運転へ制御部７に切り替えさせるための手動操作の操作方法を報知する。図示しないが、報知部８は、各種情報を表示する表示部と、各種情報を音声出力する音声出力部とを備えている。表示部は、例えば液晶ディスプレイ（ＬＣＤ）または有機ＥＬディスプレイなどを含み、制御部７の指示に従って、上記手動操作の操作方法の内容を表示する。音声出力部は、例えばスピーカなどを含み、制御部７の指示に従って、上記手動操作の操作方法を音声出力する。
【００３７】
次に、本実施形態に係る給電システム１の動作について図２を用いて説明する。初期状態として、第１開閉器３２はオンであり、第２開閉器３４および第３開閉器６はオフである。これにより、給電システム１は、系統連系運転を行っている。
【００３８】
このような状態において、検出部４が商用電力系統９５の停電を検出した場合（Ｓ１の「ＹＥＳ」）、第３開閉器６がオフからオンに切り替わり（Ｓ２）、照明装置９１が点灯する（Ｓ３）。また、系統連系運転から自立運転へ制御部７に切り替えさせるための手動操作の操作方法を報知部８が報知する（Ｓ４）。その後、ユーザによる上記手動操作の入力を操作部５が受け付けて系統連系運転から自立運転へ切り替わるまでは（Ｓ５の「ＮＯ」）、照明装置９１が点灯し、報知部８が上記手動操作の操作方法を継続して報知する。一方、ユーザによる上記手動操作の入力を操作部５が受け取って、系統連系運転から自立運転へ切り替わると（Ｓ５の「ＹＥＳ」）、報知部８は報知を停止する（Ｓ６）。その後、検出部４が商用電力系統９５の復電を検出した場合（Ｓ７の「ＹＥＳ」）、第３開閉器６がオンからオフに切り替わり（Ｓ８）、照明装置９１が消灯する（Ｓ９）。要するに、制御部７は、検出部４で検出される停電の間、第３開閉器６をオンして第１変換部２１を介して照明装置９１を蓄電池９２に電気的に接続する。一方、検出部４が商用電力系統９５の復電を検出していない場合（Ｓ７の「Ｎｏ」）、第３開閉器６はオンのままであり、照明装置９１は点灯したままである。
【００３９】
以上説明した本実施形態の給電システム１によれば、商用電力系統９５の停電が発生した際に、第３開閉器６が電力変換部２と照明装置９１との間を電気的に接続することによって、照明装置９１に操作部５の設置場所を照明させることができる。これにより、例えば夜間に商用電力系統９５の停電が発生した場合であっても、ユーザは、系統連系運転から自立運転へ切り替えるための手動操作を明るい状態の中で行うことができる。
【００４０】
また、本実施形態の給電システム１では、商用電力系統９５の停電が発生した際に、系統連系運転から自立運転へ切替部（制御部７）に切り替えさせるための手動操作の操作方法を報知部８が報知する。これにより、ユーザは、上記手動操作の操作方法を知らなかったとしても、上記手動操作をより安全かつ素早く行うことができる。
【００４１】
（第２実施形態）
第２実施形態に係る給電システム１は、図３に示すように、第３開閉器６が検出部４の検出結果を検出部４から受け取ってオンオフを自動で切り替える点で、第１実施形態に係る給電システム１（図１参照）と相違する。なお、第１実施形態の給電システム１と同様の構成要素については、同一の符号を付して説明を省略する。図３において、実線は給電路を示し、破線は、操作部５が手動操作の入力を受け付け、その手動操作の入力に応じて制御部７が出力する制御信号に関する信号線を示し、点線は、商用電力系統９５が停電または復電したときに検出部４が出力する制御（検出信号）に関する信号線を示す。
【００４２】
本実施形態の第３開閉器６は、検出部４の検出結果を検出部４から受け取るように構成される。検出部４により商用電力系統９５の停電が検出されて検出部４から停電情報を受け取ると、第３開閉器６は、オフからオンになって電力変換部２と照明装置９１との間を電気的に接続する。一方、検出部４により商用電力系統９５の復電が検出されて検出部４から復電情報を受け取ると、第３開閉器６は、オンからオフになって電力変換部２と照明装置９１との間を電気的に遮断する。例えば、第３開閉器６は、ノーマリ・クローズ接点を持ち、これら接点は、検出部４から停電情報（例えばＬＯＷ信号）を受け取るとオンされ、検出部４から復電または通電情報（ＨＩＧＨ信号）を受け取るとオフされる。すなわち、本実施形態の第３開閉器６は、制御部７の指示を受けずに、自動でオンオフを切り替えることができる。要するに、第３開閉器は、検出部４で検出される停電の間、自動的にオンして第１変換部２１を介して照明装置９１を蓄電池９２に電気的に接続するように構成される。
【００４３】
したがって、本実施形態の制御部７は、運転切替部および充放電制御部として機能すればよく、照明切替部として機能する必要はない。
【００４４】
なお、本実施形態に係る給電システム１の動作は、第３開閉器６が検出部４の検出結果を検出部４から受け取ってオンオフを切り替える点以外、第１実施形態の給電システム１の動作（図２参照）と同様である。
【００４５】
以上説明した本実施形態の給電システム１では、第３開閉器６が検出部４の検出結果を検出部４から受け取ってオンオフを切り替える。これにより、本実施形態の給電システム１では、制御部７を含めた複雑な方法ではなく簡単な方法で照明装置９１を点灯させることができる。また、制御部７が第３開閉器６のオンオフを制御する必要がないので、制御部７の処理負荷を低減することができる。
【００４６】
一実施形態において、給電システム１は、太陽電池または燃料電池などの分散電源を電力系統に連系した状態で給電を行うための系統連系運転と、分散電源を電力系統から独立した状態で給電を行うための自立運転とを選択的に行うように構成される。
【００４７】
一例において、給電システム１は、蓄電池バックアップ付き系統連系ＰＶ（photovoltaic）システムであり、分散電源として太陽電池（solar array）を含む。この例では、分散電源は、図１または２の電力変換部２に接続される。
【００４８】
一例において、分散電源は、太陽電池（図示しない）と、太陽電池の出力に接続されるＤＣ／ＤＣ変換部（図示しない）とを含み、分散電源のＤＣ／ＤＣ変換部の出力は、第１変換部２１と第２変換部２２との間の接続点に接続される。この例では、太陽電池の出力電力は、分散電源のＤＣ／ＤＣ変換部と第１変換部２１を介して蓄電池９２に供給され、また分散電源のＤＣ／ＤＣ変換部と第２変換部２２とを介して、第１開閉器３２の側と第２開閉器３４の側に供給される。第１開閉器３２の側に供給された電力は、第１負荷９３に供給されるか、あるいは商用電力系統９５に逆潮流される。第２開閉器３４の側に供給された電力は、第２負荷９４に供給される。
【図１】
2013114764.tif 000003
【図２】
2013114764.tif 000004
【図３】
2013114764.tif 000005
【国際調査報告】
2013114764.tif 000006
2013114764.tif 000007